(57)【特許請求の範囲】
【請求項１】
表示画面を有する表示部を収容した装置本体の上記表示画面外周部に、該装置本体部と一体的に形成されると共に電磁シールドが施されていないアンテナ収納部が設けられ、該アンテナ収納部は、上記表示画面の左右両側に設けられると共にスピーカ収納部を兼ね、それぞれの内部にアンテナとスピーカとが収納されていることを特徴とする無線通信装置。
【請求項２】
表示画面を有する表示部を収容した装置本体の上記表示画面外周部に、該装置本体部と一体的に形成されると共に複数の貫通孔からなる通気部を有するアンテナ収納部が設けられ、該アンテナ収納部は、上記表示画面の左右両側に設けられると共にスピーカ収納部を兼ね、それぞれの内部にアンテナとスピーカとが収納されていることを特徴とする無線通信装置。
【請求項３】
１つの上記アンテナ収納部に、１つ又は複数のアンテナが配置されていることを特徴とする請求項１又は２に記載の無線通信装置。
【請求項４】
同一の或いは異なる上記アンテナ収納部内に配置された２つの上記アンテナの取り付け方向が互いに９０度異なっていることを特徴とする請求項１〜３のいずれか１項に記載の無線通信装置。
【請求項５】
上記スピーカ収納部内に１本ずつ配置された状態で、一方の上記アンテナは水平面指向特性が垂直面指向特性より強く、もう一方の上記アンテナは垂直面指向特性が水平面指向特性より強い指向特性を有することを特徴とする請求項４に記載の無線通信装置。
【請求項６】
同一の或いは異なる上記アンテナ収納部内に配置された複数のアンテナは、ダイバーシティアンテナを構成していることを特徴とする１〜５の何れか１項に記載の無線通信装置。
【請求項７】
上記アンテナは、逆Ｌ型アンテナ又は逆Ｆ型アンテナであることを特徴とする請求項１〜６の何れか１項に記載の無線通信装置。
【発明の詳細な説明】
【技術分野】
【０００１】
本発明は、無線通信装置に関し、例えば、液晶テレビジョン装置、ＥＬテレビジョン装置、ＰＤＰテレビジョン装置やＣＲＴテレビジョン装置などの持ち運び可能な可搬型に用いるのに好適である。
【背景技術】
【０００２】
近年、液晶テレビジョン装置やＣＲＴテレビジョン装置などの持ち運び可能な可搬型の無線通信装置が登場している。このような無線通信装置では、ＩＥＥＥ８０２．１１もしくはＩＥＥＥ８０２．１１Ｂに準拠するＳＳ（Spread Spectrum：スペクトラム拡散）無線方式を使用して、映像信号を送受信するものが提案されている。また、このような無線通信装置にあっては、上記無線方式だけでなく、データ転送速度が高速化される次世代携帯電話装置、ＰＨＳ（Personal Handy−Phone System）、あるいは、Ｂｌｕｅ  Ｔｏｏｔｈにも用いることができるものも提案されている。
【０００３】
ところで、このような無線方式においては、受信アンテナが必要となる。一般的に、ＳＳ無線方式やＢｌｕｅ  Ｔｏｏｔｈ無線方式等で用いられている、周波数帯域２．４ＧＨｚ帯用のアンテナ素子のアンテナ長は、無線波長の１／４に相当する約３ｃｍとなる。３ｃｍのアンテナ長は、ＶＨＦやＵＨＦの周波数帯域向けのアンテナ素子におけるアンテナ長と比較して大幅に短く、ロッド型アンテナのごとき長尺形状のものは不要ではある。
【０００４】
しかしながら、如何に短くなったとはいえ、小型の液晶テレビジョン装置などの可搬型の無線通信装置においては、アンテナ素子はやはり無視することができない突起物となってしまうおそれがある。
【０００５】
特許文献１には、可搬型の無線送受信装置において、アンテナ素子を取っ手部の内部に内蔵させる構成が開示されている。これによれば、図５に示すように、液晶テレビジョン装置５０は、キャビネット５１に取り付けた取っ手部５２に、２本のアンテナ素子５３ａ，５３ｂを内蔵させた構成となっている。取っ手部５２の両端のビス５４ａ，５４ｂに接続する形で、内蔵のアンテナ素子５３ａ，５３ｂが互いに平行な位置関係にあり、２本のアンテナ素子５３ａ，５３ｂによるダイバーシティアンテナ構成とすることを可能とするものである。
【０００６】
これによれば、余計なスペースを液晶テレビジョン装置５０に追加することもなく、また、余計な突起物が生じることもなく、スッキリとした構造の可搬型液晶テレビジョン装置を実現できる。
【特許文献１】特開２００２−２６１６４６号公報（平成１４年９月１３日公開）
【発明の開示】
【発明が解決しようとする課題】
【０００７】
しかしながら、特許文献１の技術では、余計なスペースを液晶テレビジョン装置５０に追加することもなく、また、余計な突起物が生じることもなく、スッキリとした構造の可搬型液晶テレビジョン装置を実現できるものの、取っ手部５２をキャビネット（表示装置本体）５１より引き出した状態で使用しない限り、表示画面の前方から送信されてくる電波に対しての受信感度が悪く、また、アンテナの方向性が外部の接触にて変化しやすく、破損し易いといった問題がある。
【０００８】
つまり、特許文献１の技術では、取っ手にアンテナが設けられており、アンテナの取り付け位置が電磁シールドされている表示部の背面側にあるので、表示部前面方向からの電波の受信感度が悪い。詳細に言うと、アンテナ素子５３ａ，５３ｂを内蔵した取っ手部５２は、電磁シールドされているキャビネット５１の背面側に位置するので、該取っ手部５２をキャビネット５１より上方に引き出した状態で使用しない限り、表示画面の前方からキャビネット５１を通過してくる電波は受信し難い。キャビネット５１内は、電磁シールド以外にも、液晶パネルや配線基板、或いは内部構造部品等の、多数の受信電波遮蔽物が存在し、これらによっても画面全面からの電波は遮られてしまい、受信感度はさらに低下する。
【０００９】
また、アンテナが表示装置本体の外部に取り付けられているため、外部の接触等によりアンテナの方向が変わったり、破損したりする恐れがある。つまり、アンテナ素子５３ａ，５３ｂが、キャビネット５１に取り付けられた取っ手部５２に内蔵され、取っ手部５２の引き出し量や、角度を調節することで、内部のアンテナ素子５３ａ，５３ｂの長さや向きを調節するようになっている。そのため、何かが取っ手部５２に接触することで、アンテナ素子５３ａ，５３ｂの方向性は変わってしまい、酷ければ破損してしまう。取っ手部５２の破損はつまり、アンテナの破損となる。可搬型の液晶テレビジョン装置等の場合、その特性上、様々な場所にて使用されるため、固定型のテレビジョン装置等に比して、取っ手部５２に何かが接触する可能性は高く、損傷の危険性も高いと考えられる。
【００１０】
また、アンテナを多方向に配置して指向性をなくすためには配置するスペースが必要であり、特許文献１のように取っ手内に収納する構成ではスペース確保が難しく、そこで、液晶テレビジョン装置の内部に配置することも考えられる。しかしながら、内部配置の場合は、不要輻射等の電磁シールドで覆われてしまうため、電波を受信するには不利である。さらに、液晶テレビジョン装置の内部には、上述したように、電磁シールド以外にも、受信電波遮蔽物（液晶パネル、配線基板、内部構造部品等）が、多数存在し、受信感度を低くしてしまうという問題があった。そのため、アンテナを装置内部に配置することは困難であった。
【００１１】
本発明は、上記課題に鑑みなされたものであって、その目的は、電磁シールドの影響を抑えてアンテナの通信感度を改善することができるアンテナ構造を有する無線通信装置を提供することであり、言い換えれば、通信感度が良く、かつ、アンテナの方向性が外部の接触にて変化したり、破損したりするようなこともないアンテナ構造を有する無線通信装置を提供することにある。
【課題を解決するための手段】
【００１２】
本発明の無線通信装置は、上記課題を解決するために、表示画面を有する表示部を収容した装置本体の上記表示画面外周部に、該装置本体部と一体的に形成されると共に電磁シールドが施されていないアンテナ収納部が設けられており、該アンテナ収納部内にアンテナが配置されていることを特徴としている。
【００１３】
上記構成によれば、アンテナは、表示画面を有する表示部を収容した装置本体の上記表示画面外周部に、該装置本体部と一体的に形成され、電磁シールドが施されていないアンテナ収納部内に配置されているので、アンテナは表示部に施された電磁シールドの影響を受けることなく電波を受信することができ、画面前方からの電波を含めて通信感度を良好にできる。また、アンテナ収納部は、表示画面外周部に設けられるので、電磁シールドによる影響を受けないだけでなく、表示部や、回路基板、その他部品の電波遮蔽物も少なく、その点でも通信感度が良好となる。
【００１４】
しかも、アンテナは装置本体部と一体的に形成されたアンテナ収納部内に配置されているので、外部の接触にてアンテナの方向性が変化したり、破損したりするようなこともなく、かつ、従来技術のように、取っ手内に収納した場合に比較して、収容スペースを確保できるので、アンテナの指向性をなくするように配置することができる。
【００１５】
本発明のその他の無線通信装置は、上記課題を解決するために、表示画面を有する表示部を収容した装置本体の上記表示画面外周部に、該装置本体部と一体的に形成されると共に、複数の貫通孔からなる通気部を有するアンテナ収納部が設けられており、該アンテナ収納部内にアンテナが配置されていることを特徴としている。
【００１６】
上記構成によれば、アンテナは、表示画面を有する表示部を収容した装置本体の上記表示画面外周部に、該装置本体部と一体的に形成され、複数の貫通孔からなる通気部を有するアンテナ収納部内に配置されているので、アンテナは表示部に施された電磁シールドの影響を受けることなく電波を受信することができ、画面前方からの電波を含めて通信感度を良好にできる。また、アンテナ収納部は、表示画面外周部に設けられるので、電磁シールドによる影響を受けないだけでなく、表示部や、回路基板、その他部品の電波遮蔽物も少なく、その点でも通信感度が良好となる。
【００１７】
しかも、アンテナは装置本体部と一体的に形成されたアンテナ収納部内に配置されているので、外部の接触にてアンテナの方向性が変化したり、破損したりするようなこともなく、かつ、従来技術のように、取っ手内に収納した場合に比較して、収容スペースを確保できるので、アンテナの指向性をなくするように配置することができる。
【００１８】
ここで、上記各無線通信装置においては、１つの上記アンテナ収納部に配置されるアンテナの数は、１つであっても、複数であってもよく、また、上記アンテナ収納部の数も複数でもよく、例えば、上記表示画面の左右両側に設けられている構成としてもよい。
【００１９】
また、上記各無線通信装置においては、上記構成に加えて、上記アンテナ収納部は、上記表示画面の左右両側に設けられると共にスピーカ収納部を兼ねており、それぞれの内部にアンテナとスピーカとが収納されている構成とすることもできる。
【００２０】
アンテナ収納部をスピーカを収納するためのスピーカ格納部と兼用することで、アンテナ収納のために特別なスペースを無線通信装置に追加する必要もなく、かつ、表示画面の外周部にアンテナ収納部とスピーカ格納部とを個別に設けた構成よりもデザイン性をよくできる。
【００２１】
また、上記各無線通信装置においては、上記構成に加えて、同一の或いは異なる上記アンテナ収納部内に配置された２つの上記アンテナの取り付け方向が互いに９０度異なっている構成とすることもできる。
【００２２】
このような構成とすることで、上記スピーカ収納部内に１本ずつ配置された状態で、一方の上記アンテナは水平面指向特性が垂直面指向特性より強く、もう一方の上記アンテナは垂直面指向特性が水平面指向特性より強い指向特性を有するので、通信感度を良好とできる。
【００２３】
また、上記各無線通信装置においては、上記構成に加えて、同一の或いは異なる上記アンテナ収納部内に配置された複数のアンテナは、ダイバーシティアンテナを構成している構成とすることもでき、ダイバーシティアンテナ効果に対応可能となる。また、上記アンテナとしては、逆Ｌ型アンテナ又は逆Ｆ型アンテナを用いることができる。
【発明の効果】
【００２４】
本発明の無線通信装置は、以上のように、表示画面を有する表示部を収容した装置本体の上記表示画面外周部に、該装置本体部と一体的に形成されると共に電磁シールドが施されていないアンテナ収納部が設けられており、該アンテナ収納部内にアンテナが配置されていることを特徴としている。
【００２５】
本発明のその他の無線通信装置は、上記課題を解決するために、表示画面を有する表示部を収容した装置本体の上記表示画面外周部に、該装置本体部と一体的に形成されると共に、複数の貫通孔からなる通気部を有するアンテナ収納部が設けられており、該アンテナ収納部内にアンテナが配置されていることを特徴としている。
【００２６】
これにより、電磁シールドの影響を抑えてアンテナの通信感度を改善することができるアンテナ構造を有する無線通信装置を提供することができ、換言すれば、通信感度が良く、かつ、アンテナの方向性が外部の接触にて変化したり、破損したりするようなこともないアンテナ構造を有する無線通信装置を提供することが可能となるという効果を奏する。
【発明を実施するための最良の形態】
【００２７】
以下、本発明の好適な実施の形態について、図面を参照しながら説明する。
【００２８】
まずは、図６を用いて、本発明に係る実施の一形態である液晶テレビジョン装置（無線通信装置）が配される使用環境の一例を説明する。
【００２９】
図６は、ディスプレイ分離型のワイヤレスＴＶ受信機であるワイヤレスＡＶシステム１の概略を示した説明図である。図６に示すように、ワイヤレスＡＶシステム１は、ベース機器としてのワイヤレスセンタユニット（以下、ワイヤレスセンタという）２と、ポータブル端末（無線端末）としてのテレビジョン（ＴＶ）本体ユニット（以下、ＴＶ本体という）３とから構成され、ワイヤレスセンタ２とＴＶ本体３（無線通信装置）とはペアとなって無線伝送ネットワークを構成する。
【００３０】
図６に示すように、ＴＶ本体３は、バッテリ内蔵でワイヤレスである。また、リモートコントローラ４を備えて、ビデオデッキなどのリモコン操作ができるようになっている。また、ワイヤレスセンタ２は、ＢＳやＵ／Ｖ等のアンテナやＤＶＤプレーヤやビデオデッキ等のＡＶ機器等に接続されている。そして、ワイヤレスセンタ２からＴＶ本体３へ、映像及び／又は音声データがワイヤレス伝送されるようになっている。
【００３１】
ＴＶ本体３は、ワイヤレスセンタ２と分離可能でバッテリ内蔵により携帯又は可搬できる薄型表示装置であり、例えば液晶テレビジョン（以下、液晶テレビという）、無機ＥＬ／有機ＥＬディスプレイ、プラズマディスプレイなどの種々の表示装置を含む広い概念であり、表示機構により限定されるものではない。また、本実施の形態によるＴＶ本体３は、薄型表示装置として液晶テレビを例にして説明する。
【００３２】
図１は、本発明に係る無線通信装置アンテナ構造を有する液晶テレビジョン装置を示す正面図であり、図２はアンテナの構造を示す斜視図であり、図３はこの液晶テレビジョン装置の分解斜視図である。
【００３３】
図１に示すように、この液晶テレビジョン装置１０は、液晶パネル部（表示部）１３等の部品が格納される本体部１１と、本体部１１の左右両側に配置された半円形状のスピーカ格納部（アンテナ収納部・スピーカ収納部）１２ａ，１２ｂとを備え、これらは一体的に形成されている。
【００３４】
図３に示すように、この本体部１１とスピーカ格納部１２ａ，１２ｂとの外装部分は、前面キャビネット２３と後面キャビネット２４とからなる。前面キャビネット２３には、本体部１１とスピーカ格納部１２ａ，１２ｂの各前面外装部分が、一体的に形成されている。後面キャビネット２４には、本体部１１とスピーカ格納部１２ａ，１２ｂの各後面外装部分が、一体的に形成されている。これら前面キャビネット２３と後面キャビネット２４とは、前面キャビネット２３と後面キャビネット２４との間に部品を収容して、両キャビネット２３，２４をビス等で固定する構造である。
【００３５】
本体部１１には、上述したように液晶パネル部１３等の部品が収容され、また、本体部１１は、外部に一定基準以上の電磁波が漏れないように、電磁シールドが施されている。
【００３６】
一方、スピーカ格納部１２ａ，１２ｂには（外側表面には）、内部への貫通孔である放音孔１６ａ，１６ｂが形成され、内部には、スピーカ１４ａ，１４ｂと、アンテナ１５ａ，１５ｂとを備えている。そして、スピーカ格納部１２ａ，１２ｂは、電磁シールドは施されていない。
【００３７】
また、本体部１１の表示面側には内部への貫通孔である放熱孔１７が形成され、本体部１１内部の熱を放出する。なお、放音孔１６ａ，１６ｂと放熱孔１７はいずれも装置内部へ通気を行う通気部である。本体部１１における該放熱孔１７が形成されている領域は、液状パネル部１３の外周部であり、表示画面の端部より外側にあるので、スピーカ格納部１２ａ，１２ｂと同様に、電磁シールドは施されていない。
【００３８】
こうして、アンテナ１５ａ，１５ｂは、非電磁シールド部であるスピーカ格納部１２ａ，１２ｂに配置される。このスピーカ格納部１２ａ，１２ｂは、表示部１３の表示画面の側外方に位置しており、電磁シールド部である表示部１３から離れた位置にある。したがって、スピーカ格納部１２ａ，１２ｂ内に配置されたアンテナ１５ａ，１５ｂは、送受信感度（通信感度）を良好に保てる。
【００３９】
ここで、表示部１３の表示画面の側外方とは、図１の矢印で示すいずれかの方向であり、表示部１３の表示画面の端部より外側を意味する。つまり、図において、破線Ｌｌにて示す表示画面の右端部より右向き矢印ａ，ａにて示す外側領域、破線Ｌ２にて示す表示画面の上端部より右向き矢印ｂ，ｂにて示す外側領域、破線Ｌ３にて示す表示画面の左端部より左向き矢印ｃ，ｃにて示す外側領域、破線Ｌ４にて示す表示画面の下端部より下向き矢印ａ，ａにて示す外側領域であり、表示画面の外周部のことである。
【００４０】
図２は、アンテナ１５ａ，１５ｂとして配されるアンテナの構造を示す斜視図であり、（ａ）は逆Ｌ型アンテナ１５、（ｂ）は逆Ｆ型アンテナ２６である。逆Ｌ型アンテナ１５は、矩形上のアンテナ基板２１と、側面逆Ｌ字状の金属板からなるアンテナ素子部２２とから構成されている。一方、逆Ｆ型アンテナ２６は、矩形上のアンテナ基板２７と、側面逆Ｆ字状の金属板からなるアンテナ素子部２８とから構成されている。アンテナ１５ａ，１５ｂとして配されるアンテナはどちらのタイプを用いても構わないが、本実施形態においては、逆Ｌ型アンテナ１５を用いている。
【００４１】
図１及び図３の例では、アンテナ１５ａ，１５ｂは、互いに取り付け方向が９０度異なるように配置されており、ここでは、スピーカ１４ａ，１４ｂの上方に配置されている。このように取り付けることで、スピーカ格納部１２ａ，１２ｂにそれぞれ１本ずつ配置された状態で、一方のアンテナ１５ａは水平面指向特性が垂直面指向性より強く、もう一方のアンテナ１５ｂは垂直面指向特性が水平面指向特性より強い指向特性を有する。なお、使用環境に応じて、スピーカ格納部１２ａ，１２ｂにそれぞれ１本ずつ配置された状態で、取り付け方向をアンテナ１５ａ，１５ｂとも同一方向にしてもよい。
【００４２】
そして、アンテナ素子部２２は、本体部１１内の無線送受信回路に電気的に接続されている。この２本のアンテナ１５ａ，１５ｂは、ダイバーシティアンテナとして機能するものである。
【００４３】
図４は、無線送受信回路３０を示すブロック図である。無線送受信回路部３０は、無線信号を送信する送信回路部３１と、無線信号を受信する受信回路部３２と、アンテナ１５ａ，１５ｂへの無線信号の周波数帯域のみを送受信させるためのバンドパスフィルタ（ＢＰＦ）３４と、送信回路部３１と受信回路部３２とを時間的に切り替えてＢＰＦ３４に接続させるための切替スイッチ３３と、アンテナ１５ａ，１５ｂとを時間的に切り替えてＢＰＦ３４に接続させるためのダイバーシティスイッチ３５とを備える構成である。ダイバーシティスイッチ３５は、ダイバーシティアンテナを構成するアンテナ１５ａ，１５ｂに対して、例えばマイクロコンピュータ（図示しない）により時間的に切り替えて、無線送受信回路部３０を接続するための時分割スイッチである。
【００４４】
なお、このような接続構成により、無線送受信回路部３０と入出力される無線信号は、ＢＰＦ３４により、使用する無線信号の周波数帯域のみを通過させ、アンテナア１５ａ，１５ｂをダイバーシティアンテナとして機能させる。
【００４５】
以上のように、本実施の形態である液晶テレビジョン装置１０では、アンテナ１５ａ，１５ｂは、電磁シールドで覆われている本体部１１の外側に設けられた、電磁シールドに覆われていないスピーカ格納部１２ａ，１２ｂに収容されているので、送受信感度に関し有利である。しかも、スピーカ格納部１２ａ，１２ｂには、液晶パネル、基板、その他部品の電波遮蔽物が少なく、その点でも送受信感度について有利である。また、スピーカ格納部１２ａ，１２ｂに収容されているので、アンテナの方向性が外部の接触にて変化したり、破損したりするようなこともない。さらに、従来技術のように、取っ手内に収納した場合に比較し、収容スペースが確保でき、アンテナ１５ａ，１５ｂの取り付け方向を互いに９０度異なるように配置でき、送受信感度を全方向に改善できる効果もある。
【００４６】
また、本実施の形態では、電磁シールドで覆われている本体部１１の外側に設けられた、電磁シールドに覆われていないスピーカ格納部１２ａ，１２ｂにアンテナ１５ａ，１５ｂを収容するようにしているが、電磁シールドを設けなくとも問題のない、図１で破線Ｌｌ〜Ｌ４と矢印ａ〜ｄとで示した表示画面の外周部であれば、アンテナを通信感度良く、配置することができる。
【００４７】
したがって、表示画面の外周部に、電磁シールドが設けられていないアンテナ収納部を本体部１１と一体的に構成し、その中にアンテナ１５ａ，１５ｂを収容することで、通信感度が良く、また、充分な配置スペースを確保して送受信感度を全方向に改善でき、しかも、アンテナの方向性が外部の接触にて変化したり、破損したりすることのないアンテナ構造とすることができる。例えば、図１に示す本体部１１下部の該放熱孔１７が形成されている領域は、液状パネル部１３の外周部であり、表示画面の端部より外側にあるので、スピーカ格納部１２ａ，１２ｂと同様に、電磁シールドは施されていないので、この部分にアンテナ１５ａ，１５ｂを配置することも可能である。
【００４８】
但し、本実施の形態である液晶テレビジョン装置１０のように、該アンテナ収納部をスピーカ１４ａ，１４ｂを収納するためのスピーカ格納部１２ａ，１２ｂと兼用することで、アンテナ収納のために特別なスペースを無線通信装置に追加する必要もなく、かつ、表示画面の外周部にアンテナ収納部をスピーカ格納部１２ａ，１２ｂと別個に設けた構成よりも、デザイン性をよくできる。
【００４９】
なお、本実施の形態では、アンテナを左右のスピーカ格納部１２ａ，１２ｂにそれぞれ一つずつ配置したが、受信電波強度や液晶テレビジョン装置１０の視聴環境に応じてスピーカ格納部１２ａ，１２ｂに配置する（アンテナ収納部に配置する）アンテナは、複数でも構わないし、また、設けるアンテナ収納部の数も１つでも複数でも構わない。アンテナを左右のスピーカ収納部にそれぞれ２つずつ配置する場合は、例えば左右側の２つのアンテナはそれぞれ取り付け方向が９０度異なるようにしておけば、無線通信装置を携帯型として使用する場合に、設置位置や設置方向に限定されない使い方の自由度が増すので、より使い勝手を向上することができる。
【００５０】
また、本実施の形態では、アンテナを９０度異なる方向に配置することにより到来電波の偏波面の種類に限定されないようにしたが、特にこれに限るわけではなく、全方向に送受信感度が高くなるように、取り付け方向を決めればよい。アンテナは、同一方向に設置しても良く、この場合は、アンテナの設置幅（奥行き）のスペースを押えることができ、薄型であるという特性を損ねることなく液晶テレビジョンなどの薄型の機器に利用できる。
【００５１】
さらに、本実施の形態では、アンテナ１５ａ，１５ｂとしてアンテナを２つ配置したが、配置するアンテナは１つであってもよく、その場合、当然に設けられるアンテナ収納部の数も１つとなる。
【００５２】
なお、本実施の形態では、液晶テレビジョン装置に搭載した例で説明したが、搭載機器はこれに限定されるものではなく、例えば、ＥＬテレビジョン装置、ＰＤＰテレビジョン装置やＣＲＴテレビジョン装置、携帯電話、モバイル端末機器などの持ち運び可能な可搬型の機器に好適に使用することができる。
【００５３】
また、本発明は、換言すれば、以下のように表現することもできる。つまり、本発明は、映像を表示する表示画面を有する本体部における該表示画面の側外方のそれぞれに非電磁シールド部を設け、該非電磁シールド部におけるそれぞれの内部にアンテナを配置したことを特徴とする無線通信装置（第１の無線通信装置）である。
【００５４】
また、本発明は、映像を表示する表示画面を有する本体部における該表示画面の外方に複数の貫通孔からなる通気部を設け、該通気部におけるそれぞれの内部にアンテナを配置したことを特徴とする無線通信装置（第２の無線通信装置）である。
【００５５】
また、本発明は、これら第１，第２の無線通信装置において、さらに前記表示画面の左右両側にスピーカ収納部を配置して、該スピーカ収納部のそれぞれの内部に前記アンテナを配置したことを特徴とすることもできる（第３の無線通信装置）。
【００５６】
そして、第３の無線通信装置においては、さらに、前記アンテナは、前記スピーカ収納部に１本ずつ配置され、それぞれ取り付け方向が９０度異なることを特徴とすることもできる。
【００５７】
同様に、第３の無線通信装置においては、さらに、前記アンテナは、前記スピーカ収納部に１本ずつ配置され、それぞれ取り付け方向が９０度異なり、かつ、前記アンテナは、前記スピーカ収納部に１本ずつ配置された状態で、一方の前記アンテナは水平面指向特性が垂直面指向特性より強く、もう一方のアンテナは垂直面指向特性が水平面指向特性より強い指向特性を有することを特徴とすることもできる。
【００５８】
そして、上記第１〜第３の無線通信装置においては、前記アンテナは、少なくとも逆Ｌ型又は逆Ｆ型アンテナであり、前記本体部の左右両側にそれぞれ同じアンテナの組合せと異なる組合せのいずれか一つの組合せで配置したことを特徴とすることもできる。
【００５９】
また、上記第３の無線通信装置においては、前記アンテナは、前記スピーカ収納部において、スピーカ取り付け平面部から突設して設けたことを特徴とすることもできる。なお、ここで、スピーカ取り付け平面部とは、図１において、スピーカ１４ａ，１４ｂが取り付けられているスピーカ格納部１２ａ，１２ｂにおける、スピーカの開口面と平行な面のことであり、表示（ディスプレイ）面と平行な面のことである。このような構成とすることで、小型の板状平面アンテナを取り付け収容部の空間が限定された場所に取り付けても電波の受信感度を向上させることができる。
【００６０】
さらに、上記第１〜第３の無線通信装置においては、前記アンテナは、ダイバーシティアンテナであることを特徴とすることもできる。
【００６１】
このように、本発明によれば、本体部の表示画面の側外方に非電磁シールド部を設けてアンテナを配置し、または、本体部における表示画面の外方に通気部を設けてアンテナを配したので、電磁シールドの影響を受けずに、アンテナの通信感度を良くすることが可能となる。また、アンテナが表示装置本体の外部に露出していないので、外部の接触等によりアンテナの方向が変わったり、破損したりする問題を改善することができる。
【産業上の利用可能性】
【００６２】
液晶テレビジョン装置や、ＥＬテレビジョン装置、ＰＤＰテレビジョン装置、ＣＲＴテレビジョン装置、携帯電話、モバイル端末機器などの持ち運び可能な可搬型の機器に好適に適用できる。
【図面の簡単な説明】
【００６３】
【図１】本発明に係る無線通信装置のアンテナ構造を有する液晶テレビジョン装置を示す正面図である。
【図２】アンテナの構造を示す斜視図であり、（ａ）は逆Ｌ型アンテナ、（ｂ）は逆Ｆ型アンテナを示す図である。
【図３】液晶テレビジョン装置の分解斜視図である。
【図４】無線送受信回路を示すブロック図である。
【図５】従来の液晶テレビジョン装置のアンテナ構造を示す後面図である。
【図６】図１に示した液晶テレビジョン装置がテレビジョン本体ユニットとして配されるワイヤレスＡＶシステムの概略を示した説明図である。
【符号の説明】
【００６４】
１０  液晶テレビジョン装置
１１  本体部
１２ａ，１２ｂ  スピーカ格納部（スピーカ収納部、アンテナ収納部）
１３  液晶パネル
１４ａ，１４ｂ  スピーカ
１５ａ，１５ｂ  アンテナ
２１，２７  アンテナ基板
２２，２８  アンテナ素子部
２３  前面キャビネット
２４  後面キャビネット
３０  無線送受信回路部
３１  送信回路部
３２  受信回路部
３３  切替スイッチ
３４  バンドパスフィルタ
３５  ダイバーシティスイッチ
【図１】
0003694014.tif 000002
【図２】
0003694014.tif 000003
【図３】
0003694014.tif 000004
【図４】
0003694014.tif 000005
【図５】
0003694014.tif 000006
【図６】
0003694014.tif 000007